(57)【要約】【課題】本発明の課題は、医用画像をフィルム等の記録媒体に印刷出力する際に、印刷範囲の微調整を可能とし、医用画像中にある関心領域を印刷範囲に含ませるようにすることである。【解決手段】コントローラは、プリンタにより画像を等倍で印刷出力させるときに、画像の大きさが印刷出力先となるフィルムのサイズよりも大きければ、画像からフィルムのサイズに対応する画像領域を印刷範囲として切り出すトリミング処理を行う。このとき、コントローラは、調整画面４を表示部に表示する。そして、この調整画面４において、入力部からの指示に応じて画像Ｇ上に表示したトリミング枠Ｗを移動させて印刷範囲を調整し、印刷範囲を設定する。そして、コントローラは、設定された印刷範囲の画像データをプリンタに出力し、プリンタにより画像を印刷出力させる。【選択図】　図１
2004000529.tif 000002
【特許請求の範囲】
【請求項１】
放射線画像撮影装置にて撮影された放射線画像を記録媒体に等倍で印刷出力させる放射線画像出力システムであって、
前記放射線画像を前記記録媒体に印刷出力させる場合に、該記録媒体のサイズを指定する指定手段と、
前記指定手段により指定された前記記録媒体のサイズと、前記放射線画像の大きさとを比較する比較手段と、
前記比較手段による比較結果に基づいて、前記放射線画像から前記記録媒体のサイズに対応する印刷範囲を指定する印刷範囲指定手段と、
前記印刷範囲指定手段により指定された印刷範囲の放射線画像を前記記録媒体に印刷出力する制御手段と、
を備えることを特徴とする放射線画像出力システム。
【請求項２】
前記印刷範囲指定手段は、前記放射線画像を表示手段に表示させ、該放射線画像上で、前記記録媒体のサイズに対応するトリミング枠を移動させ、該トリミング枠で囲まれた領域を印刷範囲として指定することを特徴とする請求項１記載の放射線画像出力システム。
【請求項３】
前記印刷範囲指定手段は、印刷範囲の中心を入力する中心入力手段を有し、
前記中心入力手段より入力された印刷範囲の中心と前記トリミング枠の中心とを一致させることを特徴とする請求項１または請求項２に記載の放射線画像出力システム。
【請求項４】
前記印刷範囲指定手段は、前記印刷範囲を微調整する微調整手段を更に備えることを特徴とする請求項１から請求項３のいずれか一項に記載の放射線画像出力システム。
【請求項５】
前記印刷範囲指定手段は、
前記中心入力手段より前記印刷範囲の中心として入力しようとする位置を示す位置マークと、
前記微調整手段として、前記印刷範囲を移動させる方向を示すとともに前記印刷範囲を移動させる方向を指示するための方向マークとを、
前記表示手段に表示された前記放射線画像上に表示することを特徴とする請求項４に記載の放射線画像出力システム。
【請求項６】
放射線画像撮影装置にて撮影された放射線画像を記録媒体に等倍で印刷出力させる放射線画像出力方法であって、
前記放射線画像を前記記録媒体に印刷出力させる場合に、該記録媒体のサイズを指定する指定工程と、
前記指定工程において指定された前記記録媒体のサイズと、前記放射線画像の大きさとを比較する比較工程と、
前記比較工程における比較結果に基づいて、前記放射線画像から前記記録媒体のサイズに対応する印刷範囲を指定する印刷範囲指定工程と、
前記印刷範囲指定工程において指定された印刷範囲の放射線画像を前記記録媒体に印刷出力する制御工程と、
を含むことを特徴とする放射線画像出力方法。
【請求項７】
放射線画像撮影装置にて撮影された放射線画像を記録媒体に等倍で印刷出力させる制御装置に、
前記放射線画像を前記記録媒体に印刷出力させる場合に、該記録媒体のサイズを指定する指定機能と、
前記指定機能により指定された前記記録媒体のサイズと、前記放射線画像の大きさとを比較する比較機能と、
前記比較機能による比較結果に基づいて、前記放射線画像から前記記録媒体のサイズに対応する印刷範囲を指定する印刷範囲指定機能と、
前記印刷範囲指定機能により指定された印刷範囲の放射線画像を前記記録媒体に印刷出力する制御機能と、
を実現させるためのプログラム。
【発明の詳細な説明】
【０００１】
【発明の属する技術分野】
本発明は、放射線画像出力システム、放射線画像出力方法、及びプログラムに関する。
【０００２】
【従来の技術】
従来、放射線画像撮影装置として、Ｘ線（レントゲン、ＣＴ）検査装置、ＭＲＩ（磁気共鳴画像）検査装置等が知られている。これらの放射線画像撮影装置は、それぞれの検査方法により画像を撮影する。そして、この撮影により取得された医用画像は、画像処理が施されて、各放射線画像撮影装置に対応する制御装置にて管理されている。
【０００３】
そして、治療に携わる医師や検査技師は、上述の制御装置にて管理されている医用画像を印刷装置によりフィルム等の記録媒体に印刷出力させて読影を行い、これに基づいて診断を行っている。このとき、制御装置は、医用画像を等倍で印刷出力させるか、縮小して印刷出力させるかを医師や検査技師から指定させている。そして、制御装置は、医用画像を等倍で印刷出力させる場合に、医用画像の大きさが印刷出力先となるフィルム等の記録媒体のサイズよりも大きければ、医用画像からフィルム等の記録媒体のサイズに対応する画像領域を印刷範囲として切り出すトリミング処理を行う。
【０００４】
このとき、制御装置がトリミング処理により切り出す印刷範囲は、図５に示す印刷範囲Ｈ１〜Ｈ９の中から医師や検査技師によって選択されたものであった。図５を参照して、トリミング処理により切り出し可能な印刷範囲Ｈ１〜Ｈ９について説明する。なお、この印刷範囲Ｈ１〜Ｈ９は、医用画像Ｇ１上に重ねて表示された、フィルムサイズに対応するトリミング枠Ｗで囲まれた領域となる。
図５において、印刷範囲Ｈ１は医用画像Ｇ１の左上端部とトリミング枠Ｗの左上端部とを重ね合わせて得られる範囲であり、印刷範囲Ｈ２は医用画像Ｇ１の上辺の中央とトリミング枠Ｗの上辺の中央とを重ね合わせて得られる範囲であり、印刷範囲Ｈ３は医用画像Ｇ１の右上端部とトリミング枠Ｗの右上端部とを重ね合わせて得られる範囲であり、印刷範囲Ｈ４は医用画像Ｇ１の左辺の中央とトリミング枠Ｗの左辺の中央とを重ね合わせて得られる範囲であり、印刷範囲Ｈ５は医用画像Ｇ１の中心とトリミング枠Ｗの中心とを重ね合わせて得られる範囲であり、印刷範囲Ｈ６は医用画像Ｇ１の右辺の中央とトリミング枠Ｗの右辺の中央とを重ね合わせて得られる範囲であり、印刷範囲Ｈ７は医用画像Ｇ１の左下端部とトリミング枠Ｗの左下端部とを重ね合わせて得られる範囲であり、印刷範囲Ｈ８は医用画像Ｇ１の下辺の中央とトリミング枠Ｗの下辺の中央とを重ね合わせて得られる範囲であり、印刷範囲Ｈ９は医用画像Ｇ１の右下端部とトリミング枠Ｗの右下端部とを重ね合わせて得られる範囲である。
【０００５】
また、予め設定されている複数種類のフィルムサイズの中から一つのフィルムサイズを選択し、このフィルムサイズを出力サイズとして、撮影時に照射野領域がこの出力サイズ内に納まる様に配置されるようにし、撮影された画像をトリミングする際には、撮影画像から照射野領域の部分画像を抽出して印刷出力する放射線画像出力システムも知られている（例えば、特許文献１）
【０００６】
【特許文献１】
特開２０００−１１５５１４号公報
【０００７】
【発明が解決しようとする課題】
上述したように、制御装置において、トリミング処理により切り出す印刷範囲は、従来、図５に示す印刷範囲Ｈ１〜Ｈ９の中から選択されたものであったため、印刷範囲を微調整することができなかった。また、従来の放射線画像出力システム（特許文献１）においても、撮影画像から照射野領域の部分画像を抽出して印刷出力するため、撮影後に、印刷範囲を微調整することができなかった。このため、トリミング処理による印刷範囲の切り出しの際に、医用画像中に含まれる関心領域が切れてしまうことがあった。
【０００８】
本発明の課題は、医用画像をフィルム等の記録媒体に印刷出力する際に、印刷範囲の微調整を可能とし、医用画像中にある関心領域を印刷範囲に含ませるようにすることである。
【０００９】
【課題を解決するための手段】
本発明は、このような課題を達成するために、次のような特徴を備えている。
【００１０】
請求項１記載の発明は、放射線画像撮影装置にて撮影された放射線画像を記録媒体に等倍で印刷出力させる放射線画像出力システムであって、
前記放射線画像を前記記録媒体に印刷出力させる場合に、該記録媒体のサイズを指定する指定手段と、
前記指定手段により指定された前記記録媒体のサイズと、前記放射線画像の大きさとを比較する比較手段と、
前記比較手段による比較結果に基づいて、前記放射線画像から前記記録媒体のサイズに対応する印刷範囲を指定する印刷範囲指定手段と、
前記印刷範囲指定手段により指定された印刷範囲の放射線画像を前記記録媒体に印刷出力する制御手段と、
を備えることを特徴としている。
【００１１】
請求項６記載の発明は、
放射線画像撮影装置にて撮影された放射線画像を記録媒体に等倍で印刷出力させる放射線画像出力方法であって、
前記放射線画像を前記記録媒体に印刷出力させる場合に、該記録媒体のサイズを指定する指定工程と、
前記指定工程において指定された前記記録媒体のサイズと、前記放射線画像の大きさとを比較する比較工程と、
前記比較工程における比較結果に基づいて、前記放射線画像から前記記録媒体のサイズに対応する印刷範囲を指定する印刷範囲指定工程と、
前記印刷範囲指定工程において指定された印刷範囲の放射線画像を前記記録媒体に印刷出力する制御工程と、
を含むことを特徴としている。
【００１２】
請求項７記載の発明は、
放射線画像撮影装置にて撮影された放射線画像を記録媒体に等倍で印刷出力させる制御装置に、
前記放射線画像を前記記録媒体に印刷出力させる場合に、該記録媒体のサイズを指定する指定機能と、
前記指定機能により指定された前記記録媒体のサイズと、前記放射線画像の大きさとを比較する比較機能と、
前記比較機能による比較結果に基づいて、前記放射線画像から前記記録媒体のサイズに対応する印刷範囲を指定する印刷範囲指定機能と、
前記印刷範囲指定機能により指定された印刷範囲の放射線画像を前記記録媒体に印刷出力する制御機能と、
を実現させるためのプログラムであることを特徴としている。
【００１３】
請求項１、６、７記載の発明によれば、放射線画像を印刷出力させる場合に、記録媒体のサイズを指定させ、指定された記録媒体のサイズと、放射線画像の大きさとを比較し、その比較結果に基づいて指定された印刷範囲の放射線画像を印刷出力する。したがって、放射線画像を記録媒体に印刷出力させる場合に、画像中の関心領域を印刷範囲として指定できる。
【００１４】
請求項２記載の発明は、請求項１記載の放射線画像出力システムにおいて、
前記印刷範囲指定手段は、前記放射線画像を表示手段に表示させ、該放射線画像上で、前記記録媒体のサイズに対応するトリミング枠を移動させ、該トリミング枠で囲まれた領域を印刷範囲として指定することを特徴としている。
【００１５】
請求項２記載の発明によれば、放射線画像上で記録媒体に対応するトリミング枠を移動させて印刷範囲を指定するので、例えば、画像中の関心領域を印刷範囲として指定することが容易にできる。
【００１６】
請求項３記載の発明は、請求項１または請求項２に記載の放射線画像出力システムにおいて、
前記印刷範囲指定手段は、印刷範囲の中心を入力する中心入力手段を有し、
前記中心入力手段より入力された印刷範囲の中心と前記トリミング枠の中心とを一致させることを特徴とする。
【００１７】
請求項３記載の発明によれば、画像中の関心領域を容易に印刷範囲として指定することができる。
【００１８】
請求項４記載の発明は、請求項１から請求項３のいずれか一項に記載の放射線画像出力システムにおいて、前記印刷範囲指定手段は、前記印刷範囲を微調整する微調整手段を更に備えることとしてもよい。
【００１９】
請求項４記載の発明によれば、微調整手段により印刷範囲を微調整することができるため、例えば、画像中の関心領域を確実に印刷範囲に含ませることができる。
【００２０】
請求項５記載の発明は、請求項４に記載の放射線画像出力システムにおいて、前記印刷範囲指定手段は、前記中心入力手段より前記印刷範囲の中心として入力しようとする位置を示す位置マークと、前記微調整手段として、前記印刷範囲を移動させる方向を示すとともに前記印刷範囲を移動させる方向を指示するための方向マークとを、前記表示手段に表示された前記放射線画像上に表示することを特徴とする。
【００２１】
請求項５記載の発明によれば、位置マークおよび方向マークが放射線画像上に表示されるため、これら位置マークおよび方向マークを表示させるスペースを別途設ける必要がなく、その分表示手段に放射線画像を大きく表示させることができる。
【００２２】
【発明の実施の形態】
以下、図１〜図３を参照して本発明を適用した放射線画像出力システム１００の実施の形態を詳細に説明する。
【００２３】
まず、構成を説明する。
図１は、放射線画像出力システム１００の全体構成を示す図である。図１において、放射線画像出力システム１００は、放射線画像撮影装置１、コントローラ２、及びプリンタ３により構成される。
【００２４】
放射線画像撮影装置１は、例えば、病院内の放射線科や検査センター等に設置される端末であり、撮影により放射線画像を読み取り、この放射線画像に処理を施して得られたデジタル信号の画像データをコントローラ２に出力する。
【００２５】
コントローラ２は、放射線画像撮影装置１から入力される画像データを記憶部２５に記憶する。また、コントローラ２は、入力部２２からの指示に基づいて、記憶部２５に記憶した画像データをプリンタ３に出力し、画像をフィルムに印刷させる。
【００２６】
プリンタ３は、コントローラ２から入力された画像データに基づいて、画像をフィルム等の記録媒体に印刷する。
【００２７】
次に、図１に示した放射線画像出力システム１００を構成するコントローラ２の内部構成について図２を参照して説明する。
【００２８】
図２において、コントローラ２は、制御部２１、入力部２２、表示部２３、ＲＡＭ２４、記憶部２５、及びＩ／Ｆ部２６によって構成されており、各部はバス２７によって接続されている。
【００２９】
制御部２１は、ＣＰＵ（Ｃｅｎｔｒａｌ　　Ｐｒｏｃｅｓｓｉｎｇ　　Ｕｎｉｔ）等から構成され、記憶部２５に記憶されているシステムプログラムや各種制御プログラムを読み出し、ＲＡＭ２４に展開し、該制御プログラムに従って各部の動作を集中制御する。また、制御部２１は、ＲＡＭ２４に展開したプログラムに従って各種処理を実行し、その処理結果をＲＡＭ２４に格納するとともに、表示部２３に表示させる。そして、ＲＡＭ２４に格納した処理結果を記憶部２５の所定の保存先に保存させる。
【００３０】
また、制御部２１は、Ｉ／Ｆ部２６を介して放射線画像撮影装置１から画像データが入力されると、この画像データをＲＡＭ２４に一時格納し、更にこの画像データを記憶部２５に記憶する。
【００３１】
また、制御部２１は、入力部２２から印刷指定された画像データを記憶部２５からＲＡＭ２４に読み出し、Ｉ／Ｆ部２６を介してプリンタ３に出力し、プリンタ３により画像をフィルムに印刷させる。
【００３２】
また、制御部２１は、設定画面（図示省略）において、入力部２２から入力される、プリンタ３により印刷出力させる画像データや、この画像データを印刷出力させるフィルムサイズ、拡大方法等の指定を受け付ける。また、制御部２１は、拡大方法として、「ライフサイズ」が選択されると、印刷出力する画像の大きさと、フィルムサイズとを比較する。
つまり、入力部２２は、指定手段としての機能を有しており、制御部２１は、比較手段としての機能を有している。
【００３３】
このとき、制御部２１は、印刷出力する画像の大きさがフィルムサイズよりも大きければ、調整画面４（図３参照）を表示部２３に表示させ、この調整画面４において、入力部２２から入力される指示に基づき、印刷範囲を指定する。
つまり、調整画面４は、印刷範囲指定手段としての機能を有する。
【００３４】
また、制御部２１は、調整画面４において、指定された印刷範囲の画像データをＩ／Ｆ部２６を介してプリンタ３に出力し、プリンタ３により画像を印刷出力させる。
つまり、制御部２１は、制御手段としての機能を有している。
【００３５】
入力部２２は、カーソルキー、数字入力キー、及び各種機能キー等を備えたキーボードと、マウス、タッチパネル等のポインティングデバイスとを含み、キーボードで押下されたキーに対応する押下信号やポインティングデバイスによる操作信号を制御部２１に出力する。なお、入力部２２は、必要に応じて、その他の入力装置を備えることとしてもよい。
【００３６】
表示部２３は、ＬＣＤ（Ｌｉｑｕｉｄ　Ｃｒｙｓｔａｌ　　Ｄｉｓｐｌａｙ）表示装置やＣＲＴ（Ｃａｔｈｏｄｅ　　Ｒａｙ　Ｔｕｂｅ）表示装置等により構成され、制御部２１から入力される表示信号の指示に従って、入力部２２からの入力指示や放射線画像撮影装置１から入力された画像データに基づいた画像等を表示部２３に表示する。
【００３７】
ＲＡＭ（Ｒａｎｄｏｍ　Ａｃｃｅｓｓ　Ｍｅｍｏｒｙ）２４は、制御部２１により実行制御される各種処理において、記憶部２５から読み出されたコントローラ２上で実行可能なシステムプログラム、制御プログラム、入力若しくは出力データ、及びパラメータ等の一時的な格納領域を形成する。
【００３８】
記憶部２５は、プログラムやデータ等が予め記憶された記録媒体（図示せず）を有しており、この記録媒体は磁気的、光学的記録媒体、若しくは半導体メモリで構成されている。この記録媒体は記憶部２５に固定的に設けられるもの、若しくは着脱自在に装着するものであり、この記録媒体に、コントローラ２に対応するシステムプログラム、当該システムプログラムに対応する各種処理プログラム、及び各種処理プログラムで処理されたデータ等を記憶する。これらの各種処理プログラムは、読み取り可能なプログラムコードの形態で格納され、制御部２１は、当該プログラムコードに従った動作を逐次実行する。
【００３９】
Ｉ／Ｆ部２６は、放射線画像撮影装置１と接続するための入力インターフェイスと、プリンタ３と接続するための出力インターフェイスとを備えて構成される。この入力インターフェイスを介して、放射線画像撮影装置１からデジタル信号の画像データが入力される。また、制御部２１からの出力指示に応じて、フィルムに印刷させる画像データを出力インターフェイスを介してプリンタ３に出力する。
【００４０】
次に、動作を説明する。
まず、コントローラ２の制御部２１は、放射線画像撮影装置１により撮影された画像をフィルムに印刷する際、入力部２２からの入力指示により印刷設定を行うための設定画面（図示省略）を表示部２３に表示する。
【００４１】
そして、制御部２１は、この設定画面（図示省略）において、入力部２２から入力される、プリンタ３により印刷出力させる画像データや、この画像データを印刷出力させるフィルムサイズ、拡大方法等の指定を受け付ける。ここで、拡大方法として指定できるのは、「ライフサイズ」、及び「最大サイズ」の内の一方である。「ライフサイズ」とは、フィルムサイズにかかわらず、撮影により得られた画像を等倍出力することであり、「最大サイズ」とは、フィルムサイズに応じて、撮影により得られた画像を縮小する、または等倍出力することである。
【００４２】
ここで、拡大方法として、「ライフサイズ」が選択されると、制御部２１は、印刷出力する画像の大きさと、フィルムサイズとを比較し、画像の大きさが印刷出力先となるフィルム等の記録媒体のサイズよりも大きければ、画像からフィルムのサイズに対応する画像領域を印刷範囲として切り出すトリミング処理を行う。
【００４３】
このトリミング処理として、制御部２１は、まず、図３に示す調整画面４を表示部２３に表示させる。
【００４４】
図３に調整画面４の画面表示例を示す。調整画面４は、印刷範囲を大まかに調整する調整部４ａと、印刷範囲を微調整する微調整部４ｂとにより構成される。
つまり、微調整部４ｂは、微調整手段としての機能を有している。
【００４５】
このうち、調整部４ａには、設定画面（図示省略）において指定された画像データに基づく画像Ｇ１と、設定画面において指定されたフィルムサイズに対応するトリミング枠Ｗとが表示される。ここで、トリミング枠Ｗは、画像Ｇ１上に重ねて表示され、入力部２２からの入力指示に応じてその位置を画像Ｇ１上で自在に変えることが可能となっている。そして、このトリミング枠Ｗで囲まれた範囲が印刷範囲として設定される。なお、トリミング枠Ｗの中心部を図中のように「×」で示し、印刷範囲を設定する目安としてもよい。
【００４６】
トリミング枠Ｗを表示させる位置としては、例えば、画像Ｇ１の中心とトリミング枠Ｗの中心とが一致する位置、あるいは画像Ｇ１とトリミング枠Ｗの上下左右のいずれかの端部同士が一致する位置等がある。また、例えば、ユーザによりポインティングデバイス等の入力部２２より、印刷しようとする範囲の中心を入力し、この入力された印刷範囲Ｐの中心とトリミング枠Ｗの中心とが一致する位置に、トリミング枠Ｗを表示させるようにしてもよい。このとき、図４に示すように、画像Ｇ１上に、印刷範囲Ｐの中心として入力しようとする位置を示す位置マークＡ１を表示させ、ユーザはこれを目安として印刷範囲Ｐの中心を入力部２２より入力するようにするとよい。なお、この場合、入力部２２は中心入力手段としての機能を有する。
【００４７】
また、微調整部４ｂには、調整部４ａに表示されたトリミング枠Ｗを、上下左右に移動させて微調整するための調整釦群Ｂ１と、調整釦群Ｂ１により微調整されたトリミング枠Ｗの位置を設定せずキャンセルするためのキャンセル釦Ｂ２と、トリミング枠Ｗの位置を設定するための設定釦Ｂ３と、が設けられている。
【００４８】
また、図４に示すように、調整釦群Ｂ１に代えて、トリミング枠Ｗ（図３参照）を移動させる方向を示すとともに、例えば入力部２２により選択することでトリミング枠Ｗを移動させる方向を指示する方向マークＢ４を、画像Ｇ１の上下左右端部中央にそれぞれ表示させるようにしてもよい。さらには、方向マークを画像Ｇ１上に表示させることなく、画像Ｇ１の上下左右端部をそれぞれ入力部２２により選択することで、トリミング枠Ｗが上下左右にそれぞれ移動されるようにしてもよい。
【００４９】
そして、制御部２１は、この調整画面４において、入力部２２から設定釦Ｂ３が指示されると、トリミング枠Ｗで囲まれた範囲を印刷範囲として設定し、この印刷範囲の画像データをＩ／Ｆ部２６を介してプリンタ３に出力し、プリンタ３により画像を印刷出力させる。
【００５０】
以上のように、コントローラ２は、プリンタ３により画像を等倍で印刷出力させるときに、画像の大きさが印刷出力先となるフィルムのサイズよりも大きければ、画像からフィルムのサイズに対応する画像領域を印刷範囲として切り出すトリミング処理を行う。このとき、コントローラ２は、調整画面４を表示部２３に表示する。そして、例えば、ユーザにより入力部２２から入力された印刷範囲の中心とトリミング枠Ｗの中心とが一致する位置にトリミング枠Ｗを表示させる等して、まず大まかにトリミング枠Ｗの位置を設定し、その後、微調整部４ｂの調整釦群Ｂ１を使ってトリミング枠Ｗの位置を微調整する。このように調整され設定された印刷範囲の画像データをコントローラ２によりプリンタ３に出力し、プリンタ３により画像を印刷出力させる。
【００５１】
したがって、放射線画像撮影装置１において撮影された画像をフィルムに印刷出力させて医師や検査技師が読影を行う場合に、画像中の関心領域がフィルムに印刷出力されるように、印刷範囲を調整できる。この結果、画像の大きさがフィルム等の記録媒体のサイズより大きくても、画像を等倍で記録媒体に出力することができる。さらに、フィルム等の記録媒体のサイズが小さくても、患者の診断に必要な画像領域を印刷出力することができる。
【００５２】
なお、本実施の形態においては、１つの記録媒体には１つの画像を印刷出力するようにしたが、１つの記録媒体に複数の画像を印刷出力するようにしてもよい。この場合、記録媒体を複数の領域に区部して、その区分された領域の大きさにそれぞれ対応する印刷範囲を指定し、指定された印刷範囲の画像をそれぞれ区分された領域に出力させるようにするとよい。具体的には、例えば、１つの記録媒体に２つの画像を印刷出力する場合、記録媒体を２つの領域に区分し、この領域に対応する大きさのトリミング枠を、出力しようとする画像に表示させ、トリミング枠の位置を微調整して、それぞれ印刷範囲として設定し、設定された印刷範囲の画像データをそれぞれ記録媒体の区分された領域に印刷出力させるとよい。
【００５３】
なお、本実施の形態において、コントローラ２は、Ｉ／Ｆ部２６を介して放射線画像撮影装置１、プリンタ３と接続される場合を一例として説明したが、これに限定されず、通信制御部を備えることとし、この通信制御部を介して、病院内や病院間で構築されたＬＡＮ（Ｌｏｃａｌ　　Ａｒｅａ　　Ｎｅｔｗｏｒｋ）やＷＡＮ（Ｗｉｄｅ　Ａｒｅａ　Ｎｅｔｗｏｒｋ）等のネットワークにより外部機器（例えば、プリンタ３、その他のプリンタ等）と接続されることとしてもよい。
【００５４】
また、本実施の形態では、コントローラ２の制御部２１は、放射線画像撮影装置１とは別体構成とし、Ｉ／Ｆ部２６を介して接続されるものとしたが、これに限定されず、放射線画像撮影装置１と一体構成としてもよい。
【００５５】
また、本発明は、上記実施の形態の内容に限定されるものではなく、本発明の主旨を逸脱しない範囲で適宜変更可能である。
【００５６】
【発明の効果】
請求項１、６、７記載の発明によれば、放射線画像撮影装置により撮影された放射線画像を記録媒体に印刷出力させる場合に、画像中の関心領域を印刷範囲として指定できる。
【００５７】
請求項２記載の発明によれば、放射線画像上で記録媒体に対応するトリミング枠を移動させて印刷範囲を指定するので、例えば、画像中の関心領域を印刷範囲として指定することが容易にできる。
【００５８】
請求項３記載の発明によれば、中心入力手段より入力された印刷範囲の中心とトリミング枠の中心とを一致させるので、画像中の関心領域を容易に印刷範囲として指定することができる。
【００５９】
請求項４記載の発明によれば、微調整手段により印刷範囲を微調整することができるため、例えば、画像中の関心領域を確実に印刷範囲に含ませることができる。
【００６０】
請求項５記載の発明によれば、位置マークおよび方向マークが放射線画像上に表示されるため、これら位置マークおよび方向マークを表示させるスペースを別途設ける必要がなく、その分表示手段に放射線画像を大きく表示させることができる。
【図面の簡単な説明】
【図１】放射線画像出力システム１００の全体構成を示す図である。
【図２】放射線画像出力システム１００を構成するコントローラ２の内部構成を示すブロック図である。
【図３】調整画面４の画面表示例を示す図である。
【図４】調整画面４の他の画面表示例を示す図である。
【図５】従来のトリミング処理により切り出す印刷範囲Ｈ１〜Ｈ９を示す図である。
【符号の説明】
１　放射線画像撮影装置
２　コントローラ
２１　制御部
２２　入力部
２３　表示部
２４　ＲＡＭ
２５　記憶部
２６　Ｉ／Ｆ部
２７　バス
３　プリンタ
４　調整画面
４ａ　調整部
４ｂ　微調整部
１００　　放射線画像出力システム
Ｈ１〜Ｈ９　印刷範囲
Ｗ　　トリミング枠
Ｇ１　画像
Ａ１　位置マーク
Ｂ１　調整釦群
Ｂ２　キャンセル釦
Ｂ３　設定釦
Ｂ４　方向マーク
【図１】
2004000529.tif 000003
【図２】
2004000529.tif 000004
【図３】
2004000529.tif 000005
【図４】
2004000529.tif 000006
【図５】
2004000529.tif 000007